(57)【要約】【課題】外部端子部材の平板状で環状の端子部を、蓄電装置の電極端子部の外部端子当接面に適切に締結できる蓄電装置を提供すること。【解決手段】蓄電装置１は、外部端子当接面５１ａ及び雄ネジ部５３を有する電極端子部５０と、外部端子部材１１０の端子部１１５の浮き上がりを規制する浮き上がり規制部７０とを備える。浮き上がり規制部７０は、厚みＴａよりも大きい間隙Ｇａを空けて配置された規制本体部７１と、規制本体部７１から第１方向ＺＨの内側ＺＨ２に突出し、第１方向ＺＨの寸法Ｌａが間隙Ｇａと厚みＴａとの差Ｇｂ＝Ｇａ−Ｔａよりも大きく、かつ、弾性変形して端子部１１５の外部端子当接面５１ａ上への載置を可能とする形態の突起部７３とを有する。【選択図】図４
2020173893.tif 000002
【特許請求の範囲】
【請求項１】
第１主面及び第２主面を含む平板状で、挿通孔が形成された環状の端子部を有する外部端子部材のうち、上記端子部の上記第２主面を当接させる外部端子当接面、及び、
上記外部端子当接面から上記外部端子当接面に直交する第１方向のうち外側に突出し、外周に雄ネジが設けられており、上記端子部の上記挿通孔内に挿通される雄ネジ部、を有する
電極端子部と、
上記挿通孔内に上記雄ネジ部を挿通しつつ上記外部端子当接面上に載置した上記端子部が、上記外部端子当接面から上記外側に浮き上がるのを規制する浮き上がり規制部と、を備える
蓄電装置であって、
上記浮き上がり規制部は、
上記外部端子当接面よりも上記外側に、上記端子部の厚みＴａよりも大きな間隙Ｇａ（Ｇａ＞Ｔａ）を空けて配置された規制本体部と、
上記規制本体部から上記第１方向のうち上記外側とは反対側の内側に突出し、上記第１方向の寸法Ｌａが、上記間隙Ｇａと上記厚みＴａとの差Ｇｂ＝Ｇａ−Ｔａよりも大きく（Ｌａ＞Ｇｂ）、かつ、上記端子部を上記外部端子当接面と上記規制本体部との間に配置する際に弾性変形して上記端子部の上記外部端子当接面上への載置を可能とする形態の突起部と、を有する
蓄電装置。
【発明の詳細な説明】
【技術分野】
【０００１】
本発明は、外部端子部材の端子部を当接させる外部端子当接面と、この外部端子当接面から突出する雄ネジ部とを有する電極端子部を備える蓄電装置に関する。
【背景技術】
【０００２】
蓄電装置のプラスまたはマイナスの電極端子部として、外部端子当接面と、この外部端子当接面から突出する雄ネジ部とを有する形態の電極端子部が知られている。このような電極端子部には、平板状で、挿通孔が形成された環状の端子部を有する外部端子部材（例えば、平板状で環状のバスバや、ケーブルの先端に設けられた、円環板状の端子部を有する端子部材）を締結する。具体的には、外部端子部材の端子部の挿通孔内に電極端子部の雄ネジ部を挿通しつつ、外部端子部材の端子部を電極端子部の外部端子当接面上に載置する。その後、ナットなどの締結部材を雄ネジ部に螺合して、端子部を外部端子当接面と締結部材との間に締結する。
【０００３】
ところで、端子部を外部端子当接面上に載置した後、締結部材で端子部を外部端子当接面と締結部材との間に締結するまでの間に、端子部が外部端子当接面から浮き上がることがある。この端子部の浮き上がりが大きいと、端子部を外部端子当接面に適切に締結できなくなる場合がある。
そこで、この端子部の浮き上がりを抑制するために、端子部が浮き上がったときに、端子部に当接して、端子部がそれ以上浮き上がるのを規制する浮き上がり規制部を蓄電装置に設けることがある。関連する従来技術として、例えば特許文献１が挙げられる。この特許文献１では、図６、段落（００３２）等に記載された「固定フック６ｅ」が、「浮き上がり規制部」に該当する。
【先行技術文献】
【特許文献】
【０００４】
【特許文献１】国際公開第２０１６／１９９５６３号
【発明の概要】
【発明が解決しようとする課題】
【０００５】
端子部の浮き上がりを規制するために、端子部は、外部端子当接面と浮き上がり規制部との間に配置しつつ外部端子当接面上に載置するが、この端子部の配置を容易に行えるようにするため、外部端子当接面と浮き上がり規制部との間隙Ｇ１は、端子部の厚みＴ１よりも大きく（Ｇ１＞Ｔ１）している。
しかしながら、このように間隙Ｇ１を大きくすると、外部端子当接面上に載置した端子部が、締結までの間に外部端子当接面から浮き上がり、更には端子部が外部端子当接面と浮き上がり規制部との間から外れて、端子部の浮き上がりが浮き上がり規制部で規制されない状態になることがある。このような状態では、端子部を外部端子当接面に適切に締結できない場合がある。
【０００６】
本発明は、かかる現状に鑑みてなされたものであって、外部端子部材の平板状で環状の端子部を、蓄電装置の電極端子部の外部端子当接面に適切に締結できる蓄電装置を提供するものである。
【課題を解決するための手段】
【０００７】
上記課題を解決するための本発明の一態様は、第１主面及び第２主面を含む平板状で、挿通孔が形成された環状の端子部を有する外部端子部材のうち、上記端子部の上記第２主面を当接させる外部端子当接面、及び、上記外部端子当接面から上記外部端子当接面に直交する第１方向のうち外側に突出し、外周に雄ネジが設けられており、上記端子部の上記挿通孔内に挿通される雄ネジ部、を有する電極端子部と、上記挿通孔内に上記雄ネジ部を挿通しつつ上記外部端子当接面上に載置した上記端子部が、上記外部端子当接面から上記外側に浮き上がるのを規制する浮き上がり規制部と、を備える蓄電装置であって、上記浮き上がり規制部は、上記外部端子当接面よりも上記外側に、上記端子部の厚みＴａよりも大きな間隙Ｇａ（Ｇａ＞Ｔａ）を空けて配置された規制本体部と、上記規制本体部から上記第１方向のうち上記外側とは反対側の内側に突出し、上記第１方向の寸法Ｌａが、上記間隙Ｇａと上記厚みＴａとの差Ｇｂ＝Ｇａ−Ｔａよりも大きく（Ｌａ＞Ｇｂ）、かつ、上記端子部を上記外部端子当接面と上記規制本体部との間に配置する際に弾性変形して上記端子部の上記外部端子当接面上への載置を可能とする形態の突起部と、を有する蓄電装置である。
【０００８】
上述の蓄電装置では、外部端子部材の端子部を電極端子部の外部端子当接面に締結するのにあたり、端子部の挿通孔内に雄ネジ部を挿通しつつ、端子部を外部端子当接面と浮き上がり規制部の規制本体部との間に配置し、端子部を外部端子当接面上に載置する際、端子部に浮き上がり規制部の突起部が当接する。
端子部が外部端子当接面上に載置された（外部端子当接面に当接した）状態において、端子部と規制本体部との間隙は、外部端子当接面と規制本体部との間隙Ｇａと、端子部の厚みＴａとの差Ｇｂ＝Ｇａ−Ｔａとなる。一方、規制本体部から突出する突起部の第１方向の寸法Ｌａは、この間隙（差Ｇｂ）よりも大きい。このため、端子部を外部端子当接面と規制本体部との間に配置する際に、端子部に突起部が当接する。
しかし、この突起部は、この配置の際に弾性変形して、端子部の外部端子当接面上への載置を可能とする。このため、端子部を外部端子当接面と規制本体部との間に容易に配置でき、端子部を外部端子当接面上に載置できる。
【０００９】
また、外部端子当接面上に載置された端子部は、浮き上がり規制部の突起部によって後述するように移動が抑制されるため、載置後、締結までの間に、端子部が外部端子当接面と浮き上がり規制部との間から外れて、端子部の浮き上がりが浮き上がり規制部で規制されない状態になることを防止できる。このため、上述の蓄電装置では、外部端子部材の端子部を電極端子部の外部端子当接面に適切に締結できる。
【００１０】
なお、外部端子部材の端子部に、浮き上がり規制部の突起部を挿入可能な貫通孔等を設けない場合、外部端子当接面上に載置された端子部には、浮き上がり規制部の突起部が弾性変形した状態で当接し続け、端子部は外部端子当接面に押し付けられた状態となる。このため、載置後の端子部の移動を抑制できる。
或いは、外部端子部材の端子部に、浮き上がり規制部の突起部を挿入可能な貫通孔や凹部等の被挿入部を設けて、端子部を外部端子当接面上に載置したときに、端子部に設けた被挿入部に浮き上がり規制部の突起部を挿入してもよい。端子部の被挿入部に浮き上がり規制部の突起部が係合することで、載置後の端子部の移動をより効果的に抑制できる。
【００１１】
「突起部」としては、例えば、ゴムや樹脂等からなる突起部や、バネからなる突起部などが挙げられる。
「蓄電装置」は、１つの単電池からなる蓄電装置でもよいし、複数の単電池を含む蓄電装置でもよい。
【００１２】
更に、上記の蓄電装置であって、前記浮き上がり規制部の前記突起部は、前記外部端子部材の前記端子部を前記電極端子部の前記外部端子当接面と上記浮き上がり規制部の前記規制本体部との間に配置し、上記端子部を上記外部端子当接面上に載置したときの弾性変形を経て、上記端子部に設けた貫通孔または凹部からなる被挿入部に挿入される形態を有する蓄電装置とするのが好ましい。
【００１３】
上述の蓄電装置では、外部端子部材の端子部を電極端子部の外部端子当接面上に載置すると、端子部に設けた貫通孔などの被挿入部内に浮き上がり規制部の突起部が挿入される。このため、これ以降は、外部端子部材の端子部の多少の移動は許容しつつも、端子部が大きく移動しようとすると、端子部の被挿入部に浮き上がり規制部の突起部が係合するため、端子部の大きな移動については効果的に抑制できる。かくして、端子部を外部端子当接面上の適切な位置に配置した状態で締結できる。
【図面の簡単な説明】
【００１４】
【図１】実施形態１に係る電池モジュールの斜視図である。
【図２】実施形態１に係る電池モジュールのうち、総正極端子部に外部端子部材の端子部を配置した状態における総正極端子部、端子部及び浮き上がり規制部近傍の拡大図である。
【図３】実施形態１に係り、外部端子部材の端子部を配置する前の総正極端子部及び浮き上がり規制部を示す説明図である。
【図４】実施形態１に係り、外部端子部材の端子部を総正極端子部に締結した状態を示す説明図である。
【図５】実施形態１に係り、外部端子部材の端子部を総正極端子部の外部端子当接面と浮き上がり規制部の規制本体部との間に配置する際に、浮き上がり規制部の突起部が弾性変形する様子を示す説明図である
【図６】実施形態１に係り、外部端子部材の端子部を総正極端子部の外部端子当接面上に載置した様子を示す説明図である。
【図７】実施形態２に係り、外部端子部材の端子部を配置する前の総正極端子部及び浮き上がり規制部を示す説明図である。
【図８】実施形態２に係り、外部端子部材の端子部を総正極端子部に締結した状態を示す説明図である。
【図９】比較形態に係り、外部端子部材の端子部を総正極端子部の外部端子当接面上に載置した様子を示す説明図である。
【図１０】比較形態に係り、外部端子部材の端子部が外部端子当接面と規制本体部との間から外れて、端子部が規制本体部に乗り上げた様子を示す説明図である。
【発明を実施するための形態】
【００１５】
（実施形態１）
以下、本発明の第１の実施形態を、図面を参照しつつ説明する。図１に本実施形態１に係る電池モジュール（蓄電装置）１の斜視図を示す。また、図２に電池モジュール１の総正極端子部（電極端子部）５０に外部端子部材１１０の端子部１１５を配置した状態を拡大して示す。更に、図３に外部端子部材１１０の端子部１１５を配置する前の総正極端子部５０及び浮き上がり規制部７０を示し、図４に総正極端子部５０に端子部１１５を締結した状態を示す。なお、以下では、電池モジュール１の上下方向である高さ方向ＺＨ、高さ方向ＺＨに直交する長手方向（列置方向）ＸＨ、高さ方向ＺＨ及び長手方向ＸＨにそれぞれ直交する短手方向ＹＨを、図１、図３及び図４に示す方向と定めて説明する。
【００１６】
この電池モジュール１は、ハイブリッドカーやプラグインハイブリッドカー、電気自動車などの車両に搭載される車載用の電池モジュールである。電池モジュール１は、複数の電池１０を列置してなる電池集合体５と、この電池集合体５を長手方向ＸＨに押圧した状態で拘束する拘束部３０とを備える。このうち電池集合体５は、複数の角型の電池１０と複数のスペーサ２０とが、長手方向ＸＨに交互に列置されている。
【００１７】
電池１０は、直方体状で密閉型のリチウムイオン二次電池である。この電池１０は、直方体箱状で金属（本実施形態１ではアルミニウム）からなる電池ケース１１の内部に、図示しない扁平状捲回型の電極体が電解液と共に収容されている。また、電池ケース１１の上面には、アルミニウムからなる正極端子部１３、及び、銅からなる負極端子部１５が、それぞれ電池ケース１１と絶縁された状態で設けられている。正極端子部１３は、電池ケース１１内で電極体の正極板に接続し導通する一方、電池ケース１１の上面を貫通して電池外部まで延びている。また、負極端子部１５は、電池ケース１１内で電極体の負極板に接続し導通する一方、電池ケース１１の上面を貫通して電池外部まで延びている。
【００１８】
電池集合体５を構成する各電池１０は、その厚み方向に列置されている。具体的には、一の電池１０の正極端子部１３と、これに長手方向ＸＨに隣り合う他の電池１０の負極端子部１５とが、長手方向ＸＨに隣り合うように、各電池１０の向きを交互に変えて列置されている。そして、一の電池１０の正極端子部１３と、これに長手方向ＸＨに隣り合う他の電池１０の負極端子部１５とが、それぞれ矩形板状のバスバ（不図示）を介して電気的に接続されている。これにより、電池集合体５を構成するすべての電池１０が直列に接続されている。
【００１９】
なお、電池集合体５を構成する電池１０のうち、長手方向ＸＨの一方側ＸＨ１の端に位置する電池１０Ａの正極端子部１３Ａ（図１中、右上に位置する正極端子部１３）は、電池モジュール１の総正極端子部（電極端子部）５０となっている。また、電池集合体５を構成する電池１０のうち、長手方向ＸＨの他方側ＸＨ２の端に位置する電池１０Ｂの負極端子部１５Ｂ（図１中、左上に位置する負極端子部１５）は、電池モジュール１の総負極端子部（電極端子部）６０となっている。これら総正極端子部５０及び総負極端子部６０については、後に詳述する。
【００２０】
スペーサ２０は、絶縁性の樹脂からなる。このスペーサ２０は、電池集合体５を構成した状態で、隣り合う電池１０同士の間にそれぞれ介在する介在部２１と、各電池１０の短手方向ＹＨの一方側ＹＨ１及び他方側ＹＨ２をそれぞれ覆う一対の側壁部２２とを有する。また、スペーサ２０は、後述する拘束部３０の拘束バンド３３がそれぞれ挿通される矩形筒状の４つの挿通部２３を有する。電池集合体５を構成した状態で、２つの挿通部２３は、電池１０の高さ方向ＺＨの上方（外側）ＺＨ１に、短手方向ＹＨに間隔を空けて配置される。また、残り２つの挿通部２３は、電池１０の高さ方向ＺＨの下方（内側）ＺＨ２に、短手方向ＹＨに間隔を空けて配置される。
【００２１】
拘束部３０は、一対のエンドプレート３１と、これらのエンドプレート３１の間に架け渡されてエンドプレート３１の間をそれぞれ連結する４つの拘束バンド３３とを有する。エンドプレート３１は、電池集合体５の長手方向ＸＨの一方側ＸＨ１及び他方側ＸＨ２にそれぞれ配置されており、電池集合体５を長手方向ＸＨに挟持する。拘束バンド３３は、長手方向ＸＨに延びる帯状の金属板からなり、各スペーサ２０の挿通部２３内にそれぞれ挿通されている。拘束バンド３３の長手方向ＸＨの一方側ＸＨ１及び他方側ＸＨ２の端部は、電池集合体５を長手方向ＸＨに押圧した状態で、それぞれエンドプレート３１にリベットで固定されている。これにより、電池集合体５をなす各電池１０は、それぞれ長手方向ＸＨ（電池１０の厚み方向）に押圧されている。
【００２２】
また、電池モジュール１に含まれる各電池１０の正極端子部１３には、それぞれ電池１０の電池電圧を検知するための電圧検知用配線（不図示）が接続されている。また、各電池１０には、温度センサ（不図示）が取り付けられ、各温度センサには、温度検知用配線が接続されている。これら配線は、電池集合体５の上方ＺＨ１に配置され、長手方向ＸＨに延びる３つの樹脂カバー４１，４２，４３によって覆われている。
【００２３】
次に、電池モジュール１の総正極端子部５０及び総負極端子部６０について説明する（図２及び図４参照）。これら総正極端子部５０及び総負極端子部６０は、同様な構造であるため、同一の符号を用いて説明する。総電極端子部５０，６０は、前述のように、電池ケース１１の内部から電池ケース１１の上面を貫通して電池外部に延びており、総電極端子部５０，６０と電池ケース１１とは、樹脂絶縁部材１２を介して電気的に絶縁されている。総電極端子部５０，６０は、矩形板状の板状電極部５１と、外周に雄ネジ５３ｎが形成された円柱状の雄ネジ部５３とを有する。板状電極部５１は、電池外部に電池ケース１１の上面と平行に配置されており、上方ＺＨ１を向く外部端子当接面５１ａを有する。また、雄ネジ部５３は、外部端子当接面５１ａから上方ＺＨ１に延びる。
【００２４】
総電極端子部５０，６０には、ケーブル１００の先端１００ｓに設けられた外部端子部材１１０の円環板状の端子部１１５が締結される。具体的には、この端子部１１５は、端子部１１５を総電極端子部５０，６０に配置した状態で、上方ＺＨ１を向く第１主面１１５ａと、下方ＺＨ２を向く第２主面１１５ｂとを含む平板状である。端子部１１５の第２主面１１５ｂは、総電極端子部５０，６０の板状電極部５１の外部端子当接面５１ａに当接する。また、端子部１１５には、第１主面１１５ａと第２主面１１５ｂとの間をそれぞれ貫通する挿通孔１１５ｈ及び貫通孔（被挿入部）１１５ｉが形成されている。端子部１１５の挿通孔１１５ｈには、総電極端子部５０，６０の雄ネジ部５３が挿通される。一方、端子部１１５の貫通孔１１５ｉには、後述する浮き上がり規制部７０の突起部７３が挿入される。
【００２５】
また、電池モジュール１の樹脂カバー４１には、浮き上がり規制部７０が樹脂カバー４１と一体に形成されている。この浮き上がり規制部７０は、外部端子当接面５１ａ上に載置した端子部１１５が、外部端子当接面５１ａから上方ＺＨ１に浮き上がるのを規制する部位である。浮き上がり規制部７０は、板状電極部５１の外部端子当接面５１ａよりも上方ＺＨ１に配置された規制本体部７１と、この規制本体部７１から下方ＺＨ２に突出する円錐状の突起部７３とを有する。規制本体部７１は、上方ＺＨ１の基端部７１ｋにおいて樹脂カバー４１と繋がり、この基端部７１ｋから下方ＺＨ２に延びており、先端部７１ｓに突起部７３が設けられている。
【００２６】
より具体的には、規制本体部７１は、外部端子当接面５１ａよりも上方ＺＨ１に、端子部１１５の厚みＴａよりも大きな間隙Ｇａ（Ｇａ＞Ｔａ）を空けて配置されており、端子部１１５が上方ＺＨ１に浮き上がったときに、端子部１１５の第１主面１１５ａに当接して、端子部１１５がそれ以上浮き上がるのを規制する。
また、突起部７３の高さ方向ＺＨの寸法Ｌａは、外部端子当接面５１ａと規制本体部７１との間隙Ｇａと、端子部１１５の厚みＴａとの差Ｇｂ＝Ｇａ−Ｔａよりも大きく（Ｌａ＞Ｇｂ）されている。また、この突起部７３は、後述するように、端子部１１５を外部端子当接面５１ａと規制本体部７１との間に配置する際に弾性変形して、端子部１１５の外部端子当接面５１ａ上への載置を可能とする。また、端子部１１５を外部端子当接面５１ａ上に載置すると、端子部１１５の貫通孔１１５ｉ内に突起部７３が挿入される。
【００２７】
総電極端子部５０，６０の雄ネジ部５３には、ナット（締結部材）１２０が螺合され締結される。これにより、ナット１２０と板状電極部５１の外部端子当接面５１ａとの間に、端子部１１５が挟持されて、端子部１１５と板状電極部５１が電気的に接続される。
【００２８】
次いで、外部端子部材１１０の総電極端子部５０，６０への取り付けについて説明する（図５及び図６参照）。まず、外部端子部材１１０の端子部１１５を総電極端子部５０，６０に配置する。具体的には、端子部１１５の第１主面１１５ａを上方ＺＨ１に、第２主面１１５ｂを下方ＺＨ２に向けて、端子部１１５の挿通孔１１５ｈ内に総電極端子部５０，６０の雄ネジ部５３を挿通しつつ、端子部１１５を総電極端子部５０，６０の外部端子当接面５１ａと浮き上がり規制部７０の規制本体部７１との間に配置し、端子部１１５を外部端子当接面５１ａ上に載置する。その際、端子部１１５に浮き上がり規制部７０の突起部７３が当接する（図５参照）。
【００２９】
端子部１１５が外部端子当接面５１ａ上に載置された（外部端子当接面５１ａに当接した）状態において、端子部１１５と規制本体部７１との間隙は、外部端子当接面５１ａと規制本体部７１との間隙Ｇａと、端子部１１５の厚みＴａとの差Ｇｂ＝Ｇａ−Ｔａとなる（図４参照）。一方、規制本体部７１から下方ＺＨ２に突出する突起部７３の高さ方向ＺＨの寸法Ｌａは、この間隙（差Ｇｂ）よりも大きい。このため、端子部１１５を外部端子当接面５１ａと規制本体部７１との間に配置する際に、端子部１１５に突起部７３が当接する。
【００３０】
しかし、この突起部７３は、図５に示すように、弾性変形して端子部１１５の外部端子当接面５１ａ上への載置を可能とする。このため、図６に示すように、端子部１１５を外部端子当接面５１ａと規制本体部７１との間に容易に配置でき、端子部１１５を外部端子当接面５１ａ上に載置できる。なお、端子部１１５を外部端子当接面５１ａ上に載置すると、端子部１１５の貫通孔１１５ｉ内に突起部７３が挿入され、弾性変形していた突起部７３が元の形状に戻る。
【００３１】
また、図６に示すように、端子部１１５の貫通孔１１５ｉ内に浮き上がり規制部７０の突起部７３が挿入されると、貫通孔１１５ｉの大きさの分だけ、端子部１１５の移動が許容されるが、端子部１１５が大きく移動しようとすると、貫通孔１１５ｉと突起部７３が係合するので、端子部１１５の長手方向ＸＨ及び短手方向ＹＨの大きな移動は抑制される。このため、端子部１１５を外部端子当接面５１ａ上に載置した後、ナット１２０で端子部１１５を外部端子当接面５１ａに締結するまでの間に、端子部１１５が外部端子当接面５１ａと規制本体部７１との間から外れて、端子部１１５の浮き上がりが浮き上がり規制部７０で規制されない状態になることを防止できる。その一方、上述のように端子部１１５の多少の移動は許容しているので、その後、ナット１２０を用いて端子部１１５を外部端子当接面５１ａに締結する際に、端子部１１５自身が許容範囲内を適宜移動するので、端子部１１５を外部端子当接面５１ａに適切に締結できる。
【００３２】
ここで、比較形態として、浮き上がり規制部９７０が突起部７３を有しない場合について説明する（図９及び図１０参照）。まず、端子部９１５を総電極端子部５０，６０の外部端子当接面５１ａと浮き上がり規制部９７０との間に配置すると共に、端子部９１５を外部端子当接面５１ａ上に載置する（図９参照）。この載置後、端子部９１５は、ケーブル１００の重さなどによって傾いたり移動したりすることがある。
【００３３】
この比較形態では、浮き上がり規制部９７０に突起部７３が存在しないため、外部端子当接面５１ａ上に載置された端子部９１５は、長手方向ＸＨ及び短手方向ＹＨに比較的自由に移動できる。端子部９１５が長手方向ＸＨの他方側ＸＨ２に大きく移動すると共に上方ＺＨ１に大きく移動した場合には、端子部９１５が外部端子当接面５１ａと浮き上がり規制部９７０との間から外れる。更に、図１０に示すように、端子部９１５が浮き上がり規制部９７０に乗り上げる場合もある。このような状態では、端子部９１５を外部端子当接面５１ａに適切に締結できない。
【００３４】
以上で説明したように、蓄電装置１では、外部端子部材１１０の端子部１１５を総電極端子部５０，６０の外部端子当接面５１ａと浮き上がり規制部７０の規制本体部７１との間に配置する際、浮き上がり規制部７０の突起部７３が弾性変形することで、端子部１１５を外部端子当接面５１ａと規制本体部７１との間に容易に配置し、端子部１１５を外部端子当接面５１ａ上に載置できる。
一方、外部端子当接面５１ａ上に載置された端子部１１５は、浮き上がり規制部７０の突起部７３によって移動が抑制される。特に、本実施形態１では、端子部１１５の貫通孔１１５ｉに突起部７３が係合するので、端子部１１５の移動が効果的に抑制される。このため、端子部１１５が、端子部１１５の載置後、締結までの間に、外部端子当接面５１ａと規制本体部７１との間から外れて、端子部１１５の浮き上がりが浮き上がり規制部７０で規制されない状態になることを防止できる。従って、蓄電装置１では、外部端子部材１１０の端子部１１５を総電極端子部５０，６０の外部端子当接面５１ａに適切に締結できる。
【００３５】
（実施形態２）
次いで、第２の実施形態について説明する。実施形態１では、外部端子部材１１０の端子部１１５を総電極端子部５０，６０の外部端子当接面５１ａ上に載置する際に、浮き上がり規制部７０の突起部７３が、端子部１１５に設けられた貫通孔（被挿入部）１１５ｉに挿入される形態を説明した。これに対し、本実施形態２では、外部端子部材２１０の端子部２１５に、浮き上がり規制部２７０の突起部２７３が挿入される被挿入部が存在しない点が異なる（図７及び図８参照）。
【００３６】
本実施形態２の浮き上がり規制部２７０は、実施形態１と同様な形態の規制本体部７１と、この規制本体部７１から下方ＺＨ２に突出する円錐状の突起部２７３とを有する。
この突起部２７３の高さ方向ＺＨの寸法Ｌａは、外部端子当接面５１ａと規制本体部７１との間隙Ｇａと、端子部２１５の厚みＴａとの差Ｇｂ＝Ｇａ−Ｔａよりも大きく（Ｌａ＞Ｇｂ）されている。なお、この突起部２７３の高さ方向ＺＨの寸法Ｌａは、実施形態１の突起部７３の高さ方向ＺＨの寸法Ｌａよりも小さい。
【００３７】
また、本実施形態２の外部端子部材２１０の端子部２１５には、浮き上がり規制部２７０の突起部２７３が挿入される被挿入部がない。即ち、この端子部２１５は、第１主面２１５ａ及び第２主面２１５ｂを含む平板状で、総電極端子部５０，６０の雄ネジ部５３が挿通される挿通孔２１５ｈを有するが、浮き上がり規制部２７０の突起部２７３が挿入される被挿入部が設けられていない。
【００３８】
外部端子部材２１０の端子部２１５を総電極端子部５０，６０の外部端子当接面５１ａと浮き上がり規制部２７０の規制本体部７１との間に配置する際、端子部２１５に浮き上がり規制部２７０の突起部２７３が当接する。
しかし、この突起部２７３は、弾性変形して端子部２１５の外部端子当接面５１ａ上への載置を可能とする。このため、端子部２１５を外部端子当接面５１ａと規制本体部７１との間に容易に配置でき、端子部２１５を外部端子当接面５１ａ上に載置できる。
なお、本実施形態２では、端子部２１５を外部端子当接面５１ａ上に載置した後も、突起部２７３は弾性変形したままの状態で端子部２１５の第１主面２１５ａに当接し続け、端子部１１５を外部端子当接面５１ａに押し付ける。このため、載置後の端子部２１５の移動が抑制される。
【００３９】
従って、本実施形態２でも、端子部２１５を外部端子当接面５１ａ上に載置した後、ナット１２０で端子部２１５を外部端子当接面５１ａに締結するまでの間に、端子部２１５が外部端子当接面５１ａと規制本体部７１との間から外れて、端子部２１５の浮き上がりが浮き上がり規制部２７０で規制されない状態になることを防止できる。よって、端子部２１５を外部端子当接面５１ａに適切に締結できる。その他、実施形態１と同様な部分は、実施形態１と同様な作用効果を奏する。
【００４０】
以上において、本発明を実施形態１，２に即して説明したが、本発明は上述の実施形態１，２に限定されるものではなく、その要旨を逸脱しない範囲で、適宜変更して適用できることは言うまでもない。
【符号の説明】
【００４１】
１  電池モジュール（蓄電装置）
１０，１０Ａ，１０Ｂ  電池
５０  総正極端子部（総電極端子部，電極端子部）
５１  板状電極部
５１ａ  外部端子当接面
５３  雄ネジ部
５３ｎ  雄ネジ
６０  総負極端子部（総電極端子部，電極端子部）
７０，２７０  浮き上がり規制部
７１  規制本体部
７３，２７３  突起部
１００  ケーブル
１１０，２１０  外部端子部材
１１５，２１５  端子部
１１５ａ，２１５ａ  第１主面
１１５ｂ，２１５ｂ  第２主面
１１５ｈ，２１５ｈ  挿通孔
１１５ｉ  貫通孔（被挿入部）
１２０  ナット（締結部材）
ＺＨ  高さ方向（第１方向）
ＺＨ１  上方（外側）
ＺＨ２  下方（内側）
Ｔａ  （端子部の）厚み
Ｇａ  （外部端子当接面と規制本体部との）間隙
Ｇｂ  （間隙Ｇａと厚みＴａとの）差
Ｌａ  （突起部の高さ方向の）寸法
【図１】
2020173893.tif 000003
【図２】
2020173893.tif 000004
【図３】
2020173893.tif 000005
【図４】
2020173893.tif 000006
【図５】
2020173893.tif 000007
【図６】
2020173893.tif 000008
【図７】
2020173893.tif 000009
【図８】
2020173893.tif 000010
【図９】
2020173893.tif 000011
【図１０】
2020173893.tif 000012